(57)【要約】【課題】操作の履歴を残せる電子機器において、部分的な履歴の削除を行なっても、製作者の意図する表示レイアウトを維持することができ、履歴の削除によって、プライバシーが守れ、しかも削除を知られることがないようにし、これによって従来よりも強固にプライバシーの保護が図られるようにした表示方法および表示装置を提供する。【解決手段】履歴を消去した際にできる空きメモリ空間に、データをユーザの閲覧範囲外からシフトさせ、これによって履歴閲覧時のレイアウトを維持し、複数人で装置を共有する場合でも、プライバシーを他人に疑念を抱かせることなく保護することができるようにする。【選択図】図６
2007334454.tif 000002
【特許請求の範囲】
【請求項１】
履歴を表示手段によって表示する表示方法において、
履歴を消去したときに前記表示手段に生ずる空領域に所定の表示を補充することを特徴とする履歴表示方法。
【請求項２】
履歴データを記憶する記憶手段を有し、該記憶手段によって記憶されている履歴データを１つずつ繰上げ、この繰上げに対応する表示を行なうことによって前記表示手段の空領域に所定の表示を行なうことを特徴とする請求項１に記載の履歴表示方法。
【請求項３】
履歴データを記憶する記憶手段を有し、該記憶手段に定型の履歴データを保持し、前記表示手段の空領域に前記定型の履歴データによる表示を行なうことを特徴とする請求項１に記載の履歴表示方法。
【請求項４】
履歴データをランダムに選択する選択手段を有し、該選択手段によって選択された履歴データによる表示を前記表示手段の空領域に行なうことを特徴とする請求項１に記載の履歴表示方法。
【請求項５】
履歴を表示する表示装置において、
履歴データを記憶しておく記憶手段と、
前記記憶手段によって記憶されている履歴データの内の新しい履歴データに対応する所定の数の履歴を表示する表示手段と、
前記表示手段によって表示されている履歴データを消去する消去手段と、
前記消去手段によって消去された履歴表示の空白部分を埋めるように別の履歴を補充する補充手段と、
を具備する表示装置。
【請求項６】
前記補充手段が前記記憶手段に記憶されている履歴データを繰上げて別の履歴を補充することを特徴とする請求項５に記載の表示装置。
【請求項７】
前記補充手段が予め設定された定型の履歴データを補充することを特徴とする請求項５に記載の表示装置。
【請求項８】
前記補充手段がランダムに選択された履歴データを補充することを特徴とする請求項５に記載の表示装置。
【請求項９】
電話機の着信履歴または発信履歴の表示装置であることを特徴とする請求項５に記載の表示装置。
【請求項１０】
カーナビゲーション装置の目的地履歴の表示装置であることを特徴とする請求項５に記載の表示装置。
【発明の詳細な説明】
【技術分野】
【０００１】
本発明は履歴を表示手段によって表示するようにした表示方法および表示装置に関する。
【背景技術】
【０００２】
特開２００２−１４１９９７号公報に開示されているように、例えば携帯電話機においては、使用あるいは操作の履歴を残せるようにしており、しかも必要に応じて表示手段によって表示が行なわれるようにしている。すなわち携帯電話機においては、発信履歴や着信履歴を残すものが一般的である。
【０００３】
ここで電話機を複数人で共有する家庭用の固定電話機のような情報端末の場合には、他の共有者に知られたくない発信電話番号が出てくる可能性がある。その場合にその番号単一、あるいは番号の総てを消去することが可能であるが、これを行なうと、履歴件数が最大履歴数よりも小さくなるために、他の共有者が変に思ったり、疑念を抱かせる問題がある。また発着信履歴の一覧表示が可能な電話機が少くないが、大抵のものは最大表示件数をベースにレイアウトが作られているために、履歴の削除を行なうと、表示のレイアウトが崩れて見苦しくなる問題がある。
【０００４】
そこで例えば特開２００４−３５０２２６号公報に開示されているように、１台の電話機を複数のユーザが使用する際に、ユーザ毎の専用の使用環境に設定し、しかもユーザ毎のプライバシーを確保可能とする構成が提案されている。しかるにこのような構成は、各ユーザ毎にそれぞれパスワードあるいは識別番号を付与し、セキュリティレベルを細かく設定することになる。このような設定を行なうようにすると、各ユーザ毎に予めパスワードあるいは識別番号を入力してそのユーザの使用環境に切換える動作を行なわなければならず、これによって操作が面倒になる欠点がある。
【０００５】
カーナビゲーションシステムにおいても、検索結果や目的地の履歴を残すものが一般的になりつつある。カーナビゲーションシステムは、自動車に取付けられるために、家庭用電話機と同じく、複数人で共有使用する場合が多い。そして、カーナビゲーションシステムにおいても、目的地を他の共有者に知られたくないという要求がある。これを回避するために、カーナビゲーションシステムにパスワード入力画面を設け、ユーザを選別する手法が提案されている。しかるに自動車を共有使用する性質上、共有者と同乗したときに、パスワードを盗み見られる可能性がある問題がある。またカーナビゲーションの使用形態を考えると、アクセサリスイッチをＯＮ−ＯＦＦする度にパスワード入力を求められることになりかねず、このために操作性が低下する問題がある。
【特許文献１】特開２００２−１４１９９７号公報
【特許文献２】特開２００４−３５０２２６号公報
【発明の開示】
【発明が解決しようとする課題】
【０００６】
本願発明の課題は、部分的な履歴の削除を行なっても、意図する表示レイアウトが維持できるようにした表示方法および表示装置を提供することである。
【０００７】
本願発明の別の課題は、履歴の削除によってプライバシーを守ることが可能で、しかも削除を知られたくないようし、強固な保護が図られるようにした履歴の表示方法および表示装置を提供することである。
【０００８】
本願発明のさらに別の課題は、セキュリティレベルの段階を高くすることなく、しかもプライバシーを保護することが可能な表示方法および表示装置を提供することである。
【０００９】
本願発明の上記の課題および別の課題は、以下に述べる本願発明の技術的思想、およびその実施の形態によって明らかにされる。
【課題を解決するための手段】
【００１０】
本願の主要な発明は、履歴を表示手段によって表示する表示方法において、
履歴を消去したときに前記表示手段に生ずる空領域に所定の表示を補充することを特徴とする履歴表示方法に関するものである。
【００１１】
ここで、履歴データを記憶する記憶手段を有し、該記憶手段によって記憶されている履歴データを１つずつ繰上げ、この繰上げに対応する表示を行なうことによって前記表示手段の空領域に所定の表示を行ってよい。また履歴データを記憶する記憶手段を有し、該記憶手段に定型の履歴データを保持し、前記表示手段の空領域に前記定型の履歴データによる表示を行なってよい。また履歴データをランダムに選択する選択手段を有し、該選択手段によって選択された履歴データによる表示を前記表示手段の空領域に行なってよい。
【００１２】
本願の別の主要な発明は、履歴を表示する表示装置において、
履歴データを記憶しておく記憶手段と、
前記記憶手段によって記憶されている履歴データの内の新しい履歴データに対応する所定の数の履歴を表示する表示手段と、
前記表示手段によって表示されている履歴データを消去する消去手段と、
前記消去手段によって消去された履歴表示の空白部分を埋めるように別の履歴を補充得る補充手段と、
を具備する表示装置に関するものである。
【００１３】
ここで、前記補充手段が前記記憶手段に記憶されている履歴データを繰上げて別の履歴を補充してよい。また前記補充手段が予め設定された定型の履歴データを補充してよい。また前記補充手段がランダムに選択された履歴データを補充してよい。また電話機の着信履歴または発信履歴の表示装置であってよい。またカーナビゲーション装置の目的地履歴の表示装置であってよい。
【００１４】
本願発明の好ましい態様は、操作の履歴を残せる電子機器において、履歴を消去した際にできる空きメモリ空間にデータをユーザの閲覧範囲外からシフトさせるようにし、これによって履歴閲覧時のレイアウトを維持し、複数人で装置を共有する場合でも、プライバシーあるいは個人情報について他人に疑念を抱かせることなく保護できるようにしたものである。またパスワードあるいは識別番号等によるプライバシー保護機能に比べて、軽快な操作性が提供される。
【００１５】
このような態様によると、部分的な履歴の削除を行なっても、製作者の意図する表示レイアウトが維持できる。また履歴の削除において、プライバシーが守られ、かつ削除を知られることがないので、従来よりも強固な保持が可能になる。またセキュリティレベルの段階を細かく設定することが可能になる。例えば、電子機器自体にロックをかけることを「高」、全く何もロックをかけない状態を「低」とすると、「中」レベルのセキュリティ設定とすることが可能になる。またユーザ閲覧不可のメモリを持つ方法であれば、発信により一度は閲覧範囲外に押出された履歴であっても、閲覧範囲を消去することで、再度履歴を確認することができる。またパスワード選別方式のプライバシー保護に比べて、軽快な操作性が提供できるようになる。
【発明の効果】
【００１６】
本願の主要な発明は、履歴を表示手段によって表示する表示方法において、履歴を消去したときに前記表示手段に生ずる空領域に所定の表示を補充するようにしたものである。
【００１７】
従ってこのような履歴表示方法によると、履歴を表示したときに表示手段に生ずる空白領域が、所定の表示によって補充されることになる。従って表示レイアウトがそのまま維持されるとともに、履歴の削除によってプライバシーが守れ、しかも削除を他の者に知られることがなくなる。従って軽快な操作性を維持しながらしかもプライバシーの保護が図られることになる。
【００１８】
本願の別の主要な発明は、履歴を表示する表示装置において、履歴データを記憶しておく記憶手段と、記憶手段によって記憶されている履歴データの内の新しい履歴データに対応する所定の数の履歴を表示する表示手段と、表示手段によって表示されている履歴データを消去する消去手段と、消去手段によって消去された履歴表示の空白部分を埋めるように別の履歴を補充する補充手段と、を具備するものである。
【００１９】
従ってこのような表示装置によると、消去手段によって消去された履歴表示の空白部分が、補充手段によって別の履歴で埋められることになり、これによって当初と同一の表示レイアウトが維持される。また履歴の削除においても、表示に不自然な形態を生ずることなく、履歴の削除を知られないで強固なプライバシーの保護が図られる。またパスワードあるいは識別番号等によるプライバシーの保護のような大袈裟なセキュリティ設定とする必要がなく、これによって複雑なシステムを構築することなく、軽快な操作性を提供することが可能になる。
【発明を実施するための最良の形態】
【００２０】
以下本願発明を図示の実施の形態によって説明する。まず第１の実施の形態を図１〜図８によって説明する。この実施の形態は家庭用固定電話機に関するものであって、とくにその着信履歴および発信履歴の履歴データの表示に関するものである。
【００２１】
図１はこのような携帯電話機のシステム構成を示しており、この固定電話機はデータバス１０を備え、このデータバス１０に対してアクセス可能にＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、表示パネル１４等を備えている。さらに上記データバス１０には、電話回線インターフェース１６、キー１７、マイクロホンインターフェース１８をそれぞれアクセス可能に接続している。上記マイクロホンインターフェース１８にはさらにマイクロホン１９が接続され、このマイクロホン１９によってアナログ音声信号をマイクロホンインターフェース１８に供給している。またデータバス１０にはスピーカインターフェース２０が接続され、このスピーカインターフェース２０にはスピーカ２１が接続される。
【００２２】
ここで、図１に示すＣＰＵ１１は、この電話機の全体の制御を行なうとともに、マイクロホン１９によって入力されかつマイクロホンインターフェース１８によってデジタル変換された信号を処理し、電話回線インターフェース１６を介して送信する処理を行なう。またＣＰＵ１１は、電話回線インターフェース１６を介して受信したデジタル信号から成る情報を処理し、スピーカインターフェース２０によってアナログ信号に変換し、スピーカ２１によってアナログ音声出力として再生する。ＲＯＭ１２には、この固定電話機のプログラムが格納される。ＲＡＭ１３は、この固定電話機の制御プログラムの展開領域を構成し、さらに送信するデータや受信したデータのバッファになる。ディスプレイ１４は、上記ＣＰＵ１１によって行なわれる処理に応答し、各種の表示を行なうものであって、その表示の中には着信履歴の表示と発信履歴の表示とが含まれる。電話回線インターフェース１６は、この電話機と電話回線との間での信号の授受および処理を行なう。キー１７は、ＣＰＵ１１によって処理する各種の制御や操作のための指令を入力するものである。マイクロホンインターフェース１８は、マイクロホン１９によって生ずるアナログの音声信号をデジタル信号に変換し、さらに適正な信号処理を行なうインターフェースである。またスピーカインターフェース２０は、デジタル信号をアナログ音声信号に変換するＤ／Ａ変換器を備え、スピーカ２１に対してこのアナログ信号を供給するとともに、必要に応じて信号の処理を行なうインターフェースである。
【００２３】
図２はこのような固定電話機の外観を示しており、この携帯電話機は、その外筐が、本体部２５から構成され、本体部２５の左側部上に受話器２６を載置するようになっている。そして受話器２６は本体部２５に対してコード２７によって移動可能に連結されている。そして本体部２５の上面にはキー１７が配列される。またキー１７の上側には液晶等から成る表示パネル１４が取付けられる。そして表示パネル１４は、操作釦２８またはキー１７の操作要求に応じて、図３に示すような発信履歴の表示を行なうようにしている。なお着信履歴についても、同様の表示が行なわれる。
【００２４】
いま図２に示す家庭用電話機が、表示パネル１４に図３に示すような５件の発信履歴表示を行なうようにした仕様であるとする。そしてこの電話機には、１０件の発信履歴を記憶可能なメモリ（図４）を持っている。このようなメモリは、ＲＯＭ１２、ＲＡＭ１３、あるいはそれ以外のフラッシュメモリに設定されてよい。そして発信履歴表示以外の、６〜１０件目は、通常見ることができなくなっている。
【００２５】
この家庭用固定電話機を、Ａ、Ｂの２人の者が共有使用する場合を考える。Ａは、第１の発信履歴メモリ（０９０−１２３４−ＸＸＸＸ）の発信を行なったが、Ｂにはこの番号を知られたくないとする場合が生じた。そうすると、発信履歴を表示させ、電話機のカーソルキーやロータリノブで履歴を選択して削除することになる。従来であれば、１件目を削除すると２〜５件目がそれぞれ１つずつ繰上げられ、これによって表示パネル１４上における発信履歴の表示中、５件目が空白になるのだが、本実施の形態の場合には、通常は使用上見えなくなっている６件目が繰上がることになり、このために表示パネル１４に表示される発信履歴としては５件の表示が行なわれる（図５参照）。これによって、ＡはＢに発信番号を消去したことを知られることがなくなる。また履歴表示の５件目が空白にならないので、図５に示すように表示レイアウトが狂わなくなる。
【００２６】
図６はこのような表示パネル１４による発信履歴の表示の削除と、繰上げ表示の動作を示しており、ＣＰＵ１１は表示要求入力があるかどうかの判断を行なう（Ｓ１１）。そして表示要求がある場合には、表示動作を行なう（Ｓ１２）。そしてその後に、削除要求があるかどうかの判断を行ない（Ｓ１３）、削除要求がある場合には削除動作を行なう（Ｓ１４）。そしてこの後に、繰上げ表示を行なう（Ｓ１５）。従って表示パネル１４による発信履歴の表示は、依然として５件のままになる（図５参照）。
【００２７】
上記の繰上げ表示の動作は、図７に示すようになっている。すなわちＮ件目の削除を行なった場合には（Ｓ１７）、Ｎ＋１件目〜終端を１件ずつ繰上げ（Ｓ１８）、その後に表示更新を行なう（Ｓ１９）。これによって図５に示すように、発信履歴の表示が、所定のレイアウトを維持した状態で行なわれる。
【００２８】
図７に示す繰上げ表示は、単なる繰上げであって、削除された後の発信履歴のデータを総て１つずつ繰上げる動作である。これに対して図８Ａに示すように、定型の履歴を予め設定しておき、このような定型の履歴をメモリの終端に付加することができる。この動作は、Ｎ件目を削除（Ｓ２２）したならば、この後にＮ＋１件目〜メモリ終端を１件ずつ繰上げ（Ｓ２３）、その後に表示領域を満たす履歴が残っているかどうかの判断を行なう（Ｓ２４）。そしてこの判断が否定の場合に、定型の履歴をメモリの終端に付加する（Ｓ２５）。そしてこの後に表示更新を行なう（Ｓ２６）。
【００２９】
図８Ｂはランダムテーブルを利用してランダムに選択された履歴を終端に付加する動作を示している。ここでは、Ｎ件目を削除（Ｓ３０）したら、この後にＮ＋１件目〜メモリ終端を１件ずつ繰上げ（Ｓ３１）、この後に表示領域を満たす履歴が残っているかどうかの判断を行なう（Ｓ３２）。そしてこの判断が否定の場合に、ランダムテーブルを参照し（Ｓ３３）、ランダムに選択された履歴を終端に付加する（Ｓ３４）。そしてこの後に表示更新を行なう（Ｓ３５）。
【００３０】
従ってこの場合には、必ずしも一定の定型の履歴が付加されるのではなく、ランダムに選択された履歴が終端に付加され、履歴情報の削除が他の共有者により知られ難くなる。
【００３１】
従ってこのような部分的な履歴の削除を行なっても、この家庭用固定電話機の製作者の意図する表示レイアウトを表示パネル１４上に維持することができる。また履歴の削除を行なっても、プライバシーが守れ、しかも履歴の削除を知られ難くなるために、従来よりも強固なプライバシーの保護が図られる。またセキュリティレベルとして、電子機器にソフトウエア上のロックをかける等の高度な設定を行なうことなく、しかもほぼ適正なセキュリティの保護が可能になる。またユーザ閲覧不可のメモリを持つものであれば、発信により一度は閲覧範囲外に押出された履歴であっても、閲覧範囲を消去することで再度履歴の確認を行なうことが可能になる。またパスワード選別方式のプライバシーの保護に比べて、軽快な操作性が維持できる。
【００３２】
次に別の実施の形態を図９〜図１４によって説明する。この実施の形態は、車載用のカーナビゲーション装置に関するものであって、このカーナビゲーション装置はデータバス４０を備えている。そしてデータバス４０に対してアクセス可能に、ＣＰＵ（Ｃｅｎｔｒａｌ  Ｐｒｏｃｅｓｓｉｎｇ  Ｕｎｉｔ）４１、ＲＯＭ（Ｒｅａｄ  Ｏｎｌｙ  Ｍｅｍｏｒｙ）４２、ＲＡＭ（Ｒａｎｄｏｍ  Ａｃｃｅｓｓ  Ｍｅｍｏｒｙ）４３、表示パネル４４、ＧＰＳユニット４６、ハードディスク装置４８、キー４９、スピーカインターフェース５０を備えている。ＧＰＳユニット４６にはアンテナ４７が接続されている。またスピーカインターフェース５０にはスピーカ５１が接続されている。
【００３３】
ここでＣＰＵ４１はこのカーナビゲーション装置全体の制御と情報の処理とを行なう。ＲＯＭ４２にはこのカーナビゲーション装置のプログラムが格納される。ＲＡＭ４３は、処理を行なうプログラムの展開領域を構成し、さらに受信したデータやデコードした地図データのバッファになる。ディスプレイ４４は、ＣＰＵによって演算処理された位置を地図上に表示する。ＧＰＳユニット４６は、衛星からの電波をアンテナ４７によって受信し、このカーナビゲーション装置がある位置の位置情報を取得する。ハードディスク装置４８のハードディスクには、地図情報が書込まれており、これをＣＰＵ４１が任意に読出す。キー４９は、このカーナビゲーション装置に対して操作指令を入力するものである。スピーカインターフェース５０は、ＣＰＵ４１からの指令に基づいて作成されたデジタル信号を音声信号に変換し、案内等の音声の出力をスピーカ５１によって行なわせる。
【００３４】
このようなカーナビゲーション装置において、そのディスプレイ４４に、図１０に示すように５件の目的地履歴表示が行なわれる。またこのカーナビゲーション装置のメモリには、図１１に示すように１０件の目的地履歴を記憶可能にしている。ここで目的地履歴表示（図１０）の表示以外の６〜１０件の履歴は、通常見ることができない。
【００３５】
ここでこのカーナビゲーション装置が取付けられた車を家族Ａ、Ｂ、Ｃ、Ｄで共有使用する場合に、Ａは表示パネル４４による表示が図１０Ａの状態であって、履歴のメモリが図１１Ａの状態で車の使用を開始する。そしてＡが帰宅したときの時点での表示パネル４４の表示が図１０Ｂであって、履歴の記憶内容が図１１Ｂの状態であったとする。ここでＡは、Ｂ、Ｃ、Ｄに△×映画館に行ったことを知られたくないために、図１０Ｂに示す表示中の２件目の履歴表示（２、△×映画館）の消去の操作を行なったとする。すると履歴の３〜５件目が２〜４件目に繰上がり、また目的地履歴メモリの６〜１０件目も５〜９件目に繰上がる。これによって、図１２に示すように、見た目の履歴に空白がなくなる。またこのときのメモリによる履歴の内容は、図１３のようになる。ここでメモリには１０件目が欠落しているものの、表示パネル１４にはそのことが表示されないために、これによって「△×映画館」の履歴を削除した事実を、Ｂ、Ｃ、Ｄに知られることがなくなる。
【００３６】
このような表示の動作は、例えば図６および図７に示す表示の繰上げによって行なわれる。あるいはまた図８Ａや図８Ｂに示すような表示更新を行なってもよい。
【００３７】
ここでとくにカーナビゲーション装置の場合には、履歴が重複するような表示更新が行なわれると、不自然な表示になる。そこで図１４に示すように、履歴重複時の処理を行なうことが好ましい。すなわちＮ件目を削除（Ｓ４１）したら、この後にＮ＋１件目〜メモリの終端を１件ずつ繰上げ（Ｓ４２）、そしてＮ−１件目の履歴と繰上げがあったＮ件目の履歴とを比較し、合致しているかどうかの判別を行なう（Ｓ４３）。そして合致している場合にはＮ件目を削除する（Ｓ４４）、この後にＮ＋１件目〜メモリの終端を１件ずつ繰上げる（Ｓ４５）、そしてこのような動作を繰返すことによって、不一致になった場合にその段階で表示更新を行なう（Ｓ４６）。
【００３８】
以上本願発明を図示の実施の形態によって説明したが、本願発明は上記実施の形態によって限定されることなく、本願に含まれる発明の技術的思想の範囲内において各種の変更が可能である。例えば表示手段による表示は、上記第１の実施の形態における発信番号や第２の実施の形態の目的地以外の履歴表示であってよく、着信番号や検索履歴の表示に関するものであってもよい。また発着信混在の履歴表示であってもよい。また電話番号ではなくても、通信にまつわる履歴や、メールアドレス、ＩＰアドレス、ＭＡＣアドレス等に応用しても構わない。また第１の実施の形態は、家庭用固定電話機を例に説明したが、携帯電話機やＰＨＳ、ファクシミリ等であっても構わない。また第２の実施の形態は、カーナビゲーション装置として説明したが、携帯電話機やＰＨＳ、ＰＤＡ用のナビゲーションシステムであっても構わない。また必ずしも発着信機能を持つ機器でなくてもよい。例えば電話機と接続して使用し、番組の履歴を残せるパーソナルコンピュータや、ＰＤＡ、カーナビゲーションシステム、カーオーディオ、携帯用音楽プレーヤ、デジタルカメラ等でも応用することができる。
【００３９】
また上記の例においては、ユーザに見せたくない部分にメモリを割く構成にしたが、メモリを割かずにランダム生成、または定型例で履歴を埋めることも可能である。メモリやランダム生成、定型例の何れかを組合わせて履歴を埋めることも可能である。このような対応によって、ユーザの閲覧範囲内のメモリ部分が総て空になっても、レイアウトを維持し続けることができる。また従来の履歴を一括消去する操作や、一件消去により履歴が補充されない操作方法を残し、ユーザに選択させても構わない。
【産業上の利用可能性】
【００４０】
本願発明は、複数人で共通利用する電話機やカーナビゲーション装置に応用することが可能である。
【図面の簡単な説明】
【００４１】
【図１】第１の実施の形態の電話機のシステム構成を示すブロック図である。
【図２】同電話機の外観斜視図である。
【図３】同電話機の表示パネルの表示の態様を示す平面図である。
【図４】同電話機における発信履歴のメモリの内容を示す表である。
【図５】表示更新を行なった状態の表示パネルの表示の態様を示す平面図である。
【図６】繰上げ表示の動作を示すフローチャートである。
【図７】表示更新の動作を示すフローチャートである。
【図８】繰上げ表示の別の動作を示すフローチャートである。
【図９】カーナビゲーション装置のシステム構成を示すブロック図である。
【図１０】同カーナビゲーション装置のディスプレイの表示を示す平面図である。
【図１１】同カーナビゲーション装置の履歴メモリの内容を示す表である。
【図１２】カーナビゲーション装置の削除後のディスプレイの表示を示す平面図である。
【図１３】同削除後における履歴メモリの内容を示す表である。
【図１４】履歴の重複時の処理の動作を示すフローチャートである。
【符号の説明】
【００４２】
１０…データバス、１１…ＣＰＵ、１２…ＲＯＭ、１３…ＲＡＭ、１４…表示パネル、１６…電話回線インターフェース、１７…キー、１８…マイクロホンインターフェース、１９…マイクロホン、２０…スピーカインターフェース、２１…スピーカ、２５…本体部、２６…可動部、２７…コード、２８…操作釦、３０…発信履歴メモリ、４０…データバス、４１…ＣＰＵ、４２…ＲＯＭ、４３…ＲＡＭ、４４…表示パネル、４６…ＧＰＳユニット、４７…アンテナ、４８…ハードディスク装置、４９…キー、５０…スピーカインターフェース、５１…スピーカ、５５…目的地履歴メモリ
【図１】
2007334454.tif 000003
【図２】
2007334454.tif 000004
【図３】
2007334454.tif 000005
【図４】
2007334454.tif 000006
【図５】
2007334454.tif 000007
【図６】
2007334454.tif 000008
【図７】
2007334454.tif 000009
【図８】
2007334454.tif 000010
【図９】
2007334454.tif 000011
【図１０】
2007334454.tif 000012
【図１１】
2007334454.tif 000013
【図１２】
2007334454.tif 000014
【図１３】
2007334454.tif 000015
【図１４】
2007334454.tif 000016